(57)【要約】【課題】記録装置への記録媒体の装着し忘れをエレベータの監視者に通報すること。【解決手段】イジェクトボタンスイッチ５２の押圧操作がイジェクト操作検知部６３により検知されたタイミングで、第１タイマ６４が予め設定された第１時間（３０秒）の計時を開始し、その後、記録装置５０のカードコネクタ５１にＳＤカード５４が装着された状態であると装着判定部６１により判定された状態から、カードコネクタ５１にＳＤカード５４が装着された状態でないと装着判定部６１により判定された状態に移行したタイミングで、第２タイマ６５が予め設定された第２時間（２時間）の計時を開始し、通信処理部６８は、カードコネクタ５１にＳＤカード５４が装着された状態でないと判定された状態で第２タイマ６５による第２時間の計時が終了した場合に、カードコネクタ５１に対するＳＤカード５４の装着し忘れを監視端末装置７０に通報させる。【選択図】図３
2015000799.tif 000002
【特許請求の範囲】
【請求項１】
乗かご内の様子を撮影する監視カメラと、この監視カメラにより撮影されたものを記録媒体に録画する記録装置とを備え、前記記録装置は、前記記録媒体が着脱可能に装着される装着部を備えるエレベータ乗かご内監視装置において、
監視センタと通信を行う監視端末装置と、
前記装着部に前記記録媒体が装着された状態であるか否かを判定する装着判定部と、
前記監視センタとの通信を前記監視端末装置に行わせる通信処理部とを備え、
前記通信処理部は、前記装着部に前記記録媒体が装着された状態であると前記装着判定部により判定された状態から、前記装着部に前記記録媒体が装着された状態でないと前記装着判定部により判定された状態に移行した後、この状態が予め設定された時間継続された場合に、前記装着部に対する前記記録媒体の装着し忘れを、前記監視端末装置に通報させる
ことを特徴とするエレベータ乗かご内監視装置。
【請求項２】
乗かご内の様子を撮影する監視カメラと、この監視カメラにより撮影されたものを記録媒体に録画する記録装置とを備え、前記記録装置は、前記記録媒体が着脱可能に装着される装着部を備えるエレベータ乗かご内監視装置において、
監視センタと通信を行う監視端末装置と、
前記装着部に前記記録媒体が装着された状態であるか否かを判定する装着判定部と、
前記監視センタとの通信を前記監視端末装置に行わせる通信処理部と、
前記装着部から前記記録媒体を取り出す際に押圧操作されるイジェクトボタンスイッチと、
このイジェクトボタンスイッチの押圧操作を検知するイジェクト操作検知部と、
予め設定された第１時間の計時を開始する第１タイマと、
予め設定された第２時間の計時を開始する第２タイマとを備え、
前記第１タイマは、前記イジェクト操作検知部により前記イジェクトボタンスイッチの押圧操作が検知されたタイミングで前記第１時間の計時を開始し、
前記第２タイマは、前記第１タイマにより前記第１時間の計時が開始された後、前記装着部に前記記録媒体が装着された状態であると前記装着判定部により判定された状態から、前記装着部に前記記録媒体が装着された状態でないと前記装着判定部により判定された状態に移行したタイミングで前記第２時間の計時を開始し、
前記通信処理部は、前記装着部に前記記録媒体が装着された状態でないと前記装着判定部により判定された状態で前記第２タイマによる前記第２時間の計時が終了した場合に、前記装着部に対する前記記録媒体の装着し忘れを、前記監視端末装置に通報させる
ことを特徴とするエレベータ乗かご内監視装置。
【発明の詳細な説明】
【技術分野】
【０００１】
本発明は、監視カメラにより撮影されたものを記録媒体に録画する記録装置を備え、その記録媒体が記録装置に対して着脱可能であるエレベータ乗かご内監視装置に関する。
【背景技術】
【０００２】
特許文献１には、エレベータ乗かご内防犯装置が開示されている。このエレベータ乗かご内防犯装置は、乗かご内にビデオカメラ（監視カメラ）を備え、このビデオカメラで撮影した映像をビデオテープ等の収録体（記録媒体）に収録するようにしたエレベータ乗かご内防犯装置において、乗かごの運転盤内に、収録体への映像収録を行わせるビデオデッキ（記録装置）が収納されている。
【先行技術文献】
【特許文献】
【０００３】
【特許文献１】特開平１０−３１０３４７号公報
【発明の概要】
【発明が解決しようとする課題】
【０００４】
エレベータ乗かご内監視装置に対する保守点検作業の際、その保守点検を行う作業者は、記録装置から記録媒体を取り出す場合がある。この場合、作業者は、取出した記録媒体を再び記録装置に装着したり、その記録媒体の替わりの記録媒体を記録装置に装着したりして、監視カメラにより撮影されたものを記録装置が記録媒体に録画する状態に復帰させる必要がある。しかし、記録装置に対する記録媒体の装着を作業者が忘れてしまう可能性がある。
【０００５】
本発明は前述の事情を考慮してなされたものであり、その目的は、記録装置に対する記録媒体の装着し忘れを、エレベータの監視者に通報することができるエレベータ乗かご内監視装置を提供することにある。
【課題を解決するための手段】
【０００６】
前述の目的を達成するために本発明に係るエレベータ乗かご内監視装置は次のように構成されている。
【０００７】
本発明に係るエレベータ乗かご内監視装置は、乗かご内の様子を撮影する監視カメラと、この監視カメラにより撮影されたものを記録媒体に録画する記録装置とを備え、前記記録装置は、前記記録媒体が着脱可能に装着される装着部を備えるエレベータ乗かご内監視装置において、監視センタと通信を行う監視端末装置と、前記装着部に前記記録媒体が装着された状態であるか否かを判定する装着判定部と、前記監視センタとの通信を前記監視端末装置に行わせる通信処理部とを備え、前記通信処理部は、前記装着部に前記記録媒体が装着された状態であると前記装着判定部により判定された状態から、前記装着部に前記記録媒体が装着された状態でないと前記装着判定部により判定された状態に移行した後、この状態が予め設定された時間継続された場合に、前記装着部に対する前記記録媒体の装着し忘れを、前記監視端末装置に通報させることを特徴とする。
【０００８】
本発明に係るエレベータ乗かご内監視装置は、乗かご内の様子を撮影する監視カメラと、この監視カメラにより撮影されたものを記録媒体に録画する記録装置とを備え、前記記録装置は、前記記録媒体が着脱可能に装着される装着部を備えるエレベータ乗かご内監視装置において、監視センタと通信を行う監視端末装置と、前記装着部に前記記録媒体が装着された状態であるか否かを判定する装着判定部と、前記監視センタとの通信を前記監視端末装置に行わせる通信処理部と、前記装着部から前記記録媒体を取り出す際に押圧操作されるイジェクトボタンスイッチと、このイジェクトボタンスイッチの押圧操作を検知するイジェクト操作検知部と、予め設定された第１時間の計時を開始する第１タイマと、予め設定された第２時間の計時を開始する第２タイマとを備え、前記第１タイマは、前記イジェクト操作検知部により前記イジェクトボタンスイッチの押圧操作が検知されたタイミングで前記第１時間の計時を開始し、前記第２タイマは、前記第１タイマにより前記第１時間の計時が開始された後、前記装着部に前記記録媒体が装着された状態であると前記装着判定部により判定された状態から、前記装着部に前記記録媒体が装着された状態でないと前記装着判定部により判定された状態に移行したタイミングで前記第２時間の計時を開始し、前記通信処理部は、前記装着部に前記記録媒体が装着された状態でないと前記装着判定部により判定された状態で前記第２タイマによる前記第２時間の計時が終了した場合に、前記装着部に対する前記記録媒体の装着し忘れを、前記監視端末装置に通報させることを特徴とする。
【発明の効果】
【０００９】
本発明に係るエレベータ乗かご内監視装置において、通信処理部は、装着部に記録媒体が装着された状態であると装着判定部により判定された状態から、装着部に記録媒体が装着された状態でないと装着判定部により判定された状態に移行した後、この状態が予め設定された時間継続された場合に、装着部に対する記録媒体の装着し忘れを、監視端末装置に通報させる。これにより、本発明に係るエレベータ乗かご内監視装置は、記録装置に対する記録媒体の装着し忘れを、エレベータの監視者に通報することができる。
【００１０】
本発明に係るエレベータ乗かご内監視装置は、通信処理部は、装着部に記録媒体が装着された状態でないと装着判定部により判定された状態で第２タイマによる第２時間の計時が終了した場合に、装着部に対する記録媒体の装着し忘れを、監視端末装置に通報させる。これにより、本発明に係るエレベータ乗かご内監視装置は、記録装置に対する記録媒体の装着し忘れを、エレベータの監視者に通報することができる。
【図面の簡単な説明】
【００１１】
【図１】本発明の一実施形態に係るエレベータ乗かご内監視装置の概略図である。
【図２】図１に示したエレベータ乗かご内監視装置に備えられる記録装置の斜視図である。
【図３】図１に示したエレベータ乗かご内監視装置に備えられる記録装置のブロック図である。
【図４】図３に示す制御装置により行われる処理の流れを示すフローチャートである。
【図５】図４中の「Ａ」からの処理の流れを示すフローチャートである。
【発明を実施するための形態】
【００１２】
本発明の実施形態に係るエレベータ乗かご内監視装置について図１〜図５を用いて説明する。
【００１３】
図１に示すように、乗かご１の出入口（図示省略）の側方の壁には、かご内操作盤１０が設けられている。
【００１４】
かご内操作盤１０は、乗かご１内において乗客に操作されるスイッチが設けられた乗客用操作領域１０ａと、この乗客用操作領域の下方に位置し、保守点検の作業者や管理者等の乗客以外のエレベータ関係者に操作されるスイッチが設けられた関係者用操作領域１０ｂと、関係者用操作領域１０ｂを覆い隠す施錠可能な扉２０とを有する。
【００１５】
乗客用操作領域１０ａに設けられたスイッチは、複数の行先階登録ボタンスイッチ１１、ドア開ボタンスイッチ１２、ドア閉ボタンスイッチ１３等である。行先階登録ボタンスイッチ１１、ドア開ボタンスイッチ１２およびドア閉ボタンスイッチ１３は何れも、押ボタンスイッチである。
【００１６】
行先階登録ボタンスイッチ１１は、操作ボタンを押圧操作されることによってかご呼びを行う。ドア開ボタンスイッチ１２は、操作ボタンを押圧されることによってかごドアと乗場ドアを開くことを指令するドア開指令信号を出力するものである。ドア閉ボタンスイッチ１３は、操作ボタンを押圧操作されることによってかごドアと乗場ドアを閉めることを指令するドア閉指令信号を出力するものである。
【００１７】
関係者用操作領域１０ｂに設けられたスイッチは、例えば低速走行スイッチ２１および空調スイッチ２２であり、これら低速走行スイッチ２１および空調スイッチ２２は何れも、シーソー状に可動な操作ボタンを有するロッカースイッチ（シーソースイッチ）である。
【００１８】
低速走行スイッチ２１は、操作ボタンの一端側を押圧操作されることによってオン状態となり、操作ボタンの他端側を押圧操作されることによってオフ状態になる。この低速走行スイッチ２１のオン状態は、乗かご１の走行速度が通常よりも低速に設定される状態であり、低速走行スイッチ２１のオフ状態は、乗かご１の走行速度が通常の走行速度に設定される状態である。
【００１９】
空調スイッチ２２も、操作ボタンの一端側を押圧操作されることによってオン状態となり、操作ボタンの他端側を押圧操作されることによってオフ状態になる。この空調スイッチ２２のオン状態は、換気扇（図示省略）および空調装置（図示省略）を作動させる状態であり、空調スイッチ２２のオフ状態は換気扇および空調装置を停止させる状態となる。
【００２０】
同図１に示すように、本実施形態に係るエレベータ乗かご内監視装置３０は、乗かご１の上部、例えば天井１ａに設けられ、乗かご１内の様子を撮影して撮影信号に変換して出力する監視カメラ４０と、かご内操作盤１０に収容され、監視カメラ４０により撮影されたものを、監視カメラ４０から出力された撮影信号に基づいてＳＤカード５４（記録媒体）に録画する記録装置５０と、この記録装置５０の異常を通信回線７１を介して、エレベータの監視者が勤務する監視センタ７２に通報する監視端末装置７０とを備える。
【００２１】
図２に示すように、記録装置５０は、ＳＤカード５４（記録媒体）が着脱可能に装着されるカードコネクタ５１（装着部）と、カードコネクタ５１からのＳＤカード５４の取出しの際に押圧操作されるイジェクトボタンスイッチ５２と、ＬＥＤランプから成る表示灯５３と、制御装置６０とを備える。
【００２２】
カードコネクタ５１は、ＳＤカード５４を装着された状態において、この状態を示す装着信号（電気信号）を制御装置６０に対して出力する。カードコネクタ５１は、ＳＤカード５４を装着されてない状態においては装着信号を出力しない。イジェクトボタンスイッチ５２は、押圧操作されたときに、操作信号（電気信号）を出力するものである。
【００２３】
制御装置６０はＣＰＵ、ＲＡＭ、ＲＯＭを備え、ＲＯＭに書き込まれたコンピュータプログラムをＣＰＵで実行することによって記録装置５０の制御に係る処理を行うものである。この制御装置６０は、コンピュータプログラムにより設定された機能部として、装着判定部６１、録画処理部６２、イジェクト操作検知部６３、第１タイマ６４、第２タイマ６５、不正取出し検知部６６、第３タイマ６７、通信処理部６８、表示処理部６９を備える。これらの機能部について説明していく。
【００２４】
装着判定部６１は、カードコネクタ５１にＳＤカード５４が装着された状態であるか否かの判定を行うものである。この装着判定部６１は、制御装置６０に装着信号が入力されている状態を、カードコネクタ５１にＳＤカード５４が装着された状態であると判定し制御装置６０に装着信号が入力されていない状態を、カードコネクタ５１にＳＤカード５４が装着された状態でないと判定する。
【００２５】
録画処理部６２は、監視カメラ４０により撮影されたものを、監視カメラ４０からの撮影信号に基づいてＳＤカード５４に記録（録画）するものである。
【００２６】
イジェクト操作検知部６３は、イジェクトボタンスイッチ５２の押圧操作を検知するものである。このイジェクト操作検知部６３は、イジェクトボタンスイッチ５２からの操作信号が制御装置６０に入力されたことを、イジェクトボタンスイッチ５２が押圧操作されたこととして検知する。
【００２７】
第１タイマ６４は、予め設定された第１時間（例えば３０秒）の計時を行うものである。この第１タイマ６４は、イジェクト操作検知部６３によりイジェクトボタンスイッチ５２の押圧操作が検知されたタイミングで第１時間の計時を開始する。
【００２８】
第２タイマ６５は、予め設定された第２時間（例えば２時間）の計時を行うものである。この第２タイマ６５は、第１タイマ６４による第１時間（３０秒）の計時後、カードコネクタ５１にＳＤカード５４が装着された状態であると装着判定部６１により判定された状態から、カードコネクタ５１にＳＤカード５４が装着された状態でないと装着判定部６１により判定された状態に移行したタイミングで、第２時間の計時を開始する。
【００２９】
不正取出し検知部６６は、カードコネクタ５１からＳＤカード５４が不正に取出されたことを検知するものである。この不正取出し検知部６６は、イジェクトボタンスイッチ５２の押圧操作がイジェクト操作検知部６３により検知されることを経ることなく、カードコネクタ５１にＳＤカード５４が装着された状態でないと装着判定部６１により判定されることを、カードコネクタ５１からのＳＤカード５４の不正な取出しとして扱う。
【００３０】
第３タイマ６７は、予め設定された第３時間（例えば１分）の計時を行う。この第３タイマ６７は、カードコネクタ５１からのＳＤカード５４の不正な取出しが不正取出し検知部６６により検知されたタイミングで第３時間の計時を開始する。
【００３１】
通信処理部６８は、監視端末装置７０に監視センタ７２との通信を行わせるものである。この通信処理部６８は、ＳＤカード５４がカードコネクタ５１に装着された状態でないと装着判定部６１により判定された状態で第２タイマ６５による第２時間（２時間）の計時が終了した場合に、カードコネクタ５１に対するＳＤカードの装着し忘れを、監視端末装置７０に通報させる。また、通信処理部６８は、カードコネクタ５１からのＳＤカード５４の不正な取出しが不正取出し検知部６６により検知された後、カードコネクタ５１にＳＤカード５４が装着された状態でないと装着判定部６１により判定された状態で第３タイマ６７による第３時間（１分）の計時が終了した場合に、カードコネクタ５１からのＳＤカード５４の不正な取出しを、監視端末装置７０に通報させる。
【００３２】
表示処理部６９は、表示灯５３を制御するものである。この表示処理部６９は、第１タイマ６４により第１時間（３０秒）の計時が行われている場合を除き、ＳＤカード５４がカードコネクタ５１に装着された状態であると装着判定部６１により判定されている間、表示灯５３を点灯した状態に維持する。また、表示処理部６９は、第１タイマ６４による第１時間（３０秒）の計時の開始から終了までの間、表示灯５３を点滅した状態に維持する。また、表示処理部６９は、ＳＤカード５４がカードコネクタ５１に装着された状態でないと装着判定部６１により判定されている間、表示灯５３を消灯した状態に維持する。
【００３３】
制御装置６０は、通信ケーブルが接続される通信ポート（図示省略）を備える。この通信ポートには、エレベータ乗かご内監視装置３０の保守点検員に携帯される保守端末装置８０（情報機器）が通信ケーブルを介して接続され、これによって、記録装置５０と保守端末装置８０との通信が可能になる。保守端末装置８０を記録装置５０に通信可能に接続した状態において、保守点検員は保守端末装置８０により記録装置５０を操作することで、ＳＤカード５４に記録された映像データの再生、ＳＤカード５４の空き容量の確認、ＳＤカード５４に記録された映像データの保守端末装置８０への移動、記録装置５０の設定の変更などを行う。
【００３４】
制御装置６０により行われる処理の流れを、図４，図５を用いて説明する。
【００３５】
記録装置５０に電源が投入されると制御装置６０が起動し、これによりステップＳ１からの処理が開始される。このステップＳ１において、装着判定部６１は、カードコネクタ５１からの装着信号が制御装置６０に入力されている状態であるか否かに基づき、カードコネクタ５１にＳＤカード５４が装着された状態であるか否かの判定を行う。カードコネクタ５１にＳＤカード５４が装着された状態でないと判定した場合（ステップＳ１でＮＯの場合）、ステップＳ１が繰り返される。
【００３６】
ステップＳ１においてカードコネクタ５１にＳＤカード５４が装着された状態であると装着判定部６１により判定された場合、ステップＳ２において表示処理部６９は表示灯５３に点灯を開始させ、ステップＳ３において録画処理部６２は監視カメラ４０からの撮影信号に基づき、ＳＤカード５４への録画を開始する。
【００３７】
次にステップＳ４においてイジェクト操作検知部６３が、イジェクトボタンスイッチ５２からの操作信号が制御装置６０に入力されたことに基づき、イジェクトボタンスイッチ５２の押圧操作を検知した場合（ステップＳ４でＹＥＳの場合）、ステップＳ５において録画処理部６２はＳＤカード５４への録画を停止し、ステップＳ６において表示処理部６９は表示灯５３の点滅を開始させ、ステップＳ７において第１タイマ６４は第１時間の計時を開始する。
【００３８】
イジェクトボタンスイッチ５２の押圧操作の時点から第１時間（３０秒間）が経過するまでカードコネクタ５１からＳＤカード５４が取り出されない場合には、ステップＳ８，Ｓ９において装着判定部６１は、カードコネクタ５１にＳＤカード５４が装着された状態であるという判定を、第１タイマ６４による第１時間（３０秒）の計時が終了するまで繰り返す（ステップＳ８でＹＥＳ→ステップＳ９でＮＯを繰り返す）。その後、ＳＤカード５４がカードコネクタ５１に装着された状態であると装着判定部６１により判定された状態で第１タイマ６４による第１時間（３０秒）の計時が終了したタイミングで（ステップＳ９でＹＥＳの場合）、制御装置６０はルーチンをステップＳ２，Ｓ３に戻し、これによって、表示処理部６９は表示灯５３の点灯を再開させ、録画処理部６２は監視カメラ４０からの撮影信号に基づきＳＤカード５４への録画を再開する。
【００３９】
イジェクトボタンスイッチ５２の押圧操作の時点から第１時間以内（３０秒以内）にカードコネクタ５１からＳＤカード５４が取り出される場合には、第１タイマ６４による第１時間の計時が終了する前に（ステップＳ９でＮＯ）、ステップＳ８において装着判定部６１はカードコネクタ５１にＳＤカード５４が装着された状態でないと判定する（ステップＳ８でＮＯ）。次に、ステップＳ１０において表示処理部６９は表示灯５３を消灯させ、ステップＳ１１において第２タイマ６５は第２時間（２時間）の計時を開始する。
【００４０】
カードコネクタ５１からＳＤカード５４が取り出された時点から第２時間以内（２時間以内）に、カードコネクタ５１にＳＤカード５４が再び装着されたり、ＳＤカード５４の替わりのＳＤカードが装着されたりする場合には、ステップＳ１２，Ｓ１３において装着判定部６１は、第２タイマ６５による第２時間（２時間）の計時が終了する前に（ステップＳ１３でＮＯ）、カードコネクタ５１にＳＤカード５４が装着された状態であると判定する（ステップＳ１２でＹＥＳ）。これに伴い、制御装置６０はルーチンをステップＳ２，Ｓ３に戻し、これによって、表示処理部６９は表示灯５３の点灯を再開させ、録画処理部６２は監視カメラ４０からの撮影信号に基づき、ＳＤカード５４への録画を再開する。
【００４１】
カードコネクタ５１からＳＤカード５４が取り出された時点から第２時間（２時間）が経過するまで、カードコネクタ５１にＳＤカード５４も替わりのＳＤカードも装着されない場合には、ステップＳ１２，Ｓ１３において装着判定部６１は、カードコネクタ５１にＳＤカード５４が装着された状態でないという判定を、第２タイマ６５による第２時間（２時間）の計時が終了するまで繰り返す（ステップＳ１２でＮＯ→ステップＳ１３でＮＯを繰り返す）。その後、ＳＤカード５４がカードコネクタ５１に装着された状態でないと装着判定部６１により判定された状態で第２タイマ６５による第２時間（２時間）の計時が終了したタイミングで（ステップＳ１３でＹＥＳの場合）、制御装置６０はルーチンをステップＳ１４に進め、通信処理部６８はカードコネクタ５１に対するＳＤカードの装着し忘れを監視端末装置７０に通報させ、制御装置６０は処理を終了する。
【００４２】
イジェクトボタンスイッチ５２の押圧操作が検知されない状態で、カードコネクタ５１にＳＤカード５４が装着されている状態であると装着判定部６１に判定された場合（ステップＳ４でＮＯ→ステップＳ１５でＹＥＳ）、制御装置６０はルーチンをステップＳ４に戻す。
【００４３】
イジェクトボタンスイッチ５２の押圧操作の検知を経ることなく、カードコネクタ５１からＳＤカード５４が取り出されたことを、すなわち、カードコネクタ５１からのＳＤカード５４の不正な取出しが行われたことを、不正取出し検知部６６が検知した場合（ステップＳ４でＮＯ→ステップＳ１５でＮＯ）の場合、ステップＳ１６において表示処理部６９は表示灯５３を消灯させ、ステップＳ１７において第３タイマ６７は第３時間（１分）の計時を開始する。
【００４４】
カードコネクタ５１からＳＤカード５４が取り出された時点から第３時間以内（１分以内）に、カードコネクタ５１にＳＤカード５４が再び装着されたり、ＳＤカード５４の替わりのＳＤカードが装着されたりする場合には、ステップＳ１８，Ｓ１９において装着判定部６１は、第３タイマ６７による第３時間（１分）の計時が終了する前に（ステップＳ１９でＮＯ）、カードコネクタ５１にＳＤカード５４が装着された状態であると判定する（ステップＳ１８でＹＥＳ）。これに伴い、制御装置６０はルーチンをステップＳ２，Ｓ３に戻し、これによって、表示処理部６９は表示灯５３の点灯を再開させ、録画処理部６２は監視カメラ４０からの撮影信号に基づきＳＤカード５４への録画を再開する。
【００４５】
カードコネクタ５１からＳＤカード５４が取り出された時点から第３時間（１分）が経過するまで、カードコネクタ５１にＳＤカード５４も替わりのＳＤカードも装着されない場合には、ステップＳ１８，Ｓ１９において装着判定部６１は、カードコネクタ５１にＳＤカード５４が装着された状態でないという判定を、第３タイマ６７による第３時間（１分）の計時が終了するまで繰り返す（ステップＳ１８でＮＯ→ステップＳ１９でＮＯを繰り返す）。その後、ＳＤカード５４がカードコネクタ５１に装着された状態でないと装着判定部６１により判定された状態で第３タイマ６７による第３時間（１分）の計時が終了したタイミングで、カードコネクタ５１からのＳＤカード５４の不正な取出しを監視端末装置７０に通報させ、制御装置６０は処理を終了する。
【００４６】
本実施形態に係るエレベータ乗かご内監視装置３０によれば次の効果を得られる。
【００４７】
本実施形態に係るエレベータ乗かご内監視装置３０は、イジェクトボタンスイッチ５２の押圧操作をイジェクト操作検知部６３により検知した後、カードコネクタ５１にＳＤカード５４が装着された状態でないと装着判定部６１により判定した状態で第２タイマ６５による第２時間（２時間）の計時を終了した場合に、カードコネクタ５１に対するＳＤカード５４の装着し忘れを、通信処理部６８により監視端末装置７０から監視センタ７２に通報する。これにより、本実施形態に係るエレベータ乗かご内監視装置３０は、カードコネクタ５１に対するＳＤカード５４の装着し忘れを、エレベータの監視者に通報することができる。
【００４８】
本実施形態に係るエレベータ乗かご内監視装置３０は、カードコネクタ５１からのＳＤカード５４の不正な取出しを不正取出し検知部６６により検知した後、カードコネクタ５１にＳＤカード５４が装着された状態でないと装着判定部６１により判定した状態で第３タイマ６７による第３時間（１分）の計時を終了した場合に、カードコネクタ５１からのＳＤカード５４の不正な取出しを、通信処理部６８により監視端末装置７０から監視センタ７２に通報する。これにより、本実施形態に係るエレベータ乗かご内監視装置３０は、カードコネクタ５１からのＳＤカード５４の不正な取出しを、エレベータの監視者に通報することができる。
【００４９】
本実施形態に係るエレベータ乗かご内監視装置３０は、イジェクトボタンスイッチ５２の押圧操作をイジェクト操作検知部６３により検知した後、カードコネクタ５１にＳＤカード５４が装着された状態でないと装着判定部６１により判定した状態で第２タイマ６５による第２時間（２時間）の計時を終了することを条件として、カードコネクタ５１に対するＳＤカード５４の装着し忘れを、通信処理部６８により監視端末装置７０に通報させる。これにより、イジェクトボタンスイッチ５２の押圧操作を経てカードコネクタ５１からＳＤカード５４を取り出した時点から第２時間（２時間）が経過するまでの間、ＳＤカード５４を取り出した者は、そのＳＤカード５４を用いた作業、例えば保守端末装置８０にＳＤカード５４を直接装着してＳＤカード５４に記録された内容を確認する作業を、カードコネクタ５１に対するＳＤカード５４の装着し忘れを通報されることなく、行うことができる。
【００５０】
本実施形態に係るエレベータ乗かご内監視装置３０は、カードコネクタ５１からのＳＤカード５４の不正な取出しを不正取出し検知部６６により検知した後、カードコネクタ５１にＳＤカード５４が装着された状態でないと装着判定部６１により判定した状態で第３タイマ６７による第３時間（１分）の計時を終了したことを条件として、カードコネクタ５１からのＳＤカード５４の不正な取出しを、通信処理部６８により監視端末装置７０に通報させる。これにより、カードコネクタ５１からのＳＤカード５４の不正な取出しが悪意を伴わない単なる操作ミスによることである場合に、その操作ミスを犯した者は、その操作ミスを犯してしまった時点から第３時間（１分）が経過するまでの間にＳＤカード５４をカードコネクタ５１に戻すことで、カードコネクタ５１からのＳＤカード５４の不正な取出しが通報されてしまうことを回避することができる。
【００５１】
前述の実施形態に係るエレベータ乗かご内監視装置３０において、記録装置５０はＳＤカード５４が装着されるカードコネクタ５１を装着部として備えるものであるが、本発明における装着部はＳＤカードが装着されるカードコネクタに限定されるものではなく、ＳＤカード以外の記録媒体が装着されるものであってもよい。
【００５２】
前述の実施形態に係るエレベータ乗かご内監視装置３０において、記録装置５０はイジェクトボタンスイッチ５２とイジェクト操作検知部６３とを備えるものであるが、本発明における記録装置はイジェクトボタンスイッチとイジェクト操作検知部とを備えないものであってもよい。この場合、通信処理部は、装着部に記録媒体が装着された状態であると装着判定部により判定された状態から、装着部に記録媒体が装着された状態でないと装着判定部により判定された状態に移行した後、この状態が予め設定された時間（第２時間と同等の時間）継続された場合に、装着部に対する記録媒体の装着し忘れを、監視端末装置に通報させるものであればよい。
【００５３】
前述の実施形態に係るエレベータ乗かご内監視装置３０において、第１時間、第２時間、第３時間のそれぞれは３０秒、２時間、１分のそれぞれに設定されているが、本発明に係るエレベータ乗かご内監視装置において、第１時間、第２時間、第３時間のそれぞれは３０秒、２時間、１分のそれぞれに限定されるものでない。
【符号の説明】
【００５４】
１  乗かご
３０  エレベータ乗かご内監視装置
４０  監視カメラ
５０  記録装置
５１  カードコネクタ（装着部）
５２  イジェクトボタンスイッチ
５４  ＳＤカード（記録媒体）
６０  制御装置
６１  装着判定部
６２  録画処理部
６３  イジェクト操作検知部
６４  第１タイマ
６５  第２タイマ
６６  不正取出し検知部
６７  第３タイマ
６８  通信処理部
７０  監視端末装置
【図１】
2015000799.tif 000003
【図２】
2015000799.tif 000004
【図３】
2015000799.tif 000005
【図４】
2015000799.tif 000006
【図５】
2015000799.tif 000007